(57)【要約】【課題】音楽再生時に撮影ができ、楽曲名等の音楽情報と撮影に必要な情報を同時に得ることができる音楽再生機能付きカメラを提供する。【解決手段】被写体像を表示する表示部１（符号６４Ａ）と音楽情報を表示する表示部２（符号６４Ｂ）とをカメラ本体に備える。該カメラが音楽再生モードに切り換えられるとメモリカードに記録されている音楽ファイルの再生が可能になるとともにＣＣＤが動作可能になり表示部１に被写体像が表示され表示部２に音楽情報が表示される。さらに音楽再生中にレリーズボタン半押し操作がなされると表示部２には音楽情報に代えて撮影情報を表示させる。撮影者は音楽再生中に音楽を楽しみながら撮影を行うことができ、音楽再生中の撮影でも被写体像および音楽情報の何れの情報も減らすことなく知ることができる。表示部１、２は１つの表示装置の画面を分割してもよいし、別々の表示装置で構成してもよい。【選択図】    図１２
2004208013.tif 000002
【特許請求の範囲】
【請求項１】
被写体像を撮影し画像データに変換する撮像手段と、
前記撮像手段を介して取得される被写体像を表示する第１の表示手段と、
音楽データを聴き取り可能な形式に復元し再生する音楽再生手段と、
前記音楽データに関する音楽情報を表示する第２の表示手段と、
前記音楽再生手段による音楽再生中に前記第１の表示手段に前記被写体像を表示させるとともに、前記第２の表示手段に前記音楽情報を表示させる制御を行う表示制御手段と、
を備えたことを特徴とする音楽再生機能付きカメラ。
【請求項２】
前記第１の表示手段と前記第２の表示手段は、１つの表示装置の表示画面を分割して構成されていることを特徴とする請求項１記載の音楽再生機能付きカメラ。
【請求項３】
前記第１の表示手段と前記第２の表示手段とは、それぞれ別々の表示装置によって構成されていることを特徴とする請求項１記載の音楽再生機能付きカメラ。
【請求項４】
前記音楽再生手段による音楽再生可能な音楽再生モードに該カメラが切り換えられると、前記撮像手段を動作可能とし被写体像を前記第１の表示手段に表示させることを特徴とする請求項２または３記載の音楽再生機能付きカメラ。
【請求項５】
前記表示制御手段は、前記第１の表示手段に前記被写体像を表示中に前記第１の表示手段および第２の表示手段のうち少なくとも一方に撮影情報を表示させる制御を行うことを特徴とする請求項４記載の音楽再生機能付きカメラ。
【請求項６】
音楽再生中に撮影開始操作がなされると、前記第１の表示手段あるいは前記第２の表示手段の何れか一方に前記撮影情報を表示させることを特徴とする請求項４記載の音楽再生機能付きカメラ。
【請求項７】
音楽再生中に撮影開始操作がなされると、前記音楽情報に代えて前記撮影情報を表示させることを特徴とする請求項４記載の音楽再生機能付きカメラ。
【請求項８】
前記音楽再生モードでは、前記第１の表示手段に被写体像を表示させるかあるいは前記第１の表示手段に前記音楽情報を表示させるか、前記第１の表示手段をオフするかのいずれか１つを選択する表示選択手段を備えたことを特徴とする請求項５乃至７の何れか１項に記載の音楽再生機能付きカメラ。
【発明の詳細な説明】
【０００１】
【発明の属する技術分野】
本発明は音楽再生機能付きカメラに係り、特に情報表示装置を備えたカメラに好適な情報表示技術に関する。
【０００２】
【従来の技術】
近年、音楽再生機能を備えたカメラが登場し、撮影を行うカメラ機能だけでなく音楽を楽しむ音楽再生機としても使用することができる。音楽データはＭＰ３フォーマット等に圧縮されてメモリカードに記録され、カメラに備えられたカードスロットに挿入されたメモリカードから音楽データを取り込み、カメラ内部で音楽に復元され、スピーカやヘッドホンからカメラ外部に出力される。
【０００３】
特許文献１に開示されたカメラでは、音楽再生時に撮影された画像データと再生されている音楽データとを関連付けして記録媒体に記録することができる。さらに関連画像がある音楽データを再生する際には、その音楽に合わせて関連画像を液晶モニタ等に表示することができる。
【０００４】
特許文献２に開示された発明では、撮影時のカメラの構え方により、再生時に９０°回転した画像になることを防止するために、カメラの撮像姿勢を検知する姿勢検知手段を備え、再生時にはカメラの構え方に応じて画像を生成し表示する機能を備えている。
【０００５】
【特許文献１】
特開２０００−３５０１４６
【０００６】
【特許文献２】
特開２００２−１５２５６８
【０００７】
【発明が解決しようとする課題】
しかしながら、特許文献１に開示された発明では、表示装置を一つしか持たないため、音楽再生中には音楽情報あるいは被写体等のカメラ情報のいずれか一方しか表示することができず、音楽情報およびカメラ情報を同時に知ることができないという不便さがある。
【０００８】
また、特許文献２に開示された発明では、撮影された画像の記録方法や表示方法について開示されていて、音楽再生機能および撮影機能、画像表示の関連については開示されていない。
【０００９】
本発明はこのような事情を鑑みてなされたもので、音楽再生時に撮影ができ、音楽再生時の撮影でも撮影に必要な情報を得ることができる音楽再生機能付きカメラを提供することを目的とする。
【００１０】
【課題を解決するための手段】
前記目的を達成するために本発明に係る音楽再生機能付きカメラは、被写体像を撮影し画像データに変換する撮像手段と、前記撮像手段を介して取得される被写体像を表示する第１の表示手段と、音楽データを聴き取り可能な形式に復元し再生する音楽再生手段と、前記音楽データに関する音楽情報を表示する第２の表示手段と、前記音楽再生手段による音楽再生中に前記第１の表示手段に前記被写体像を表示させるとともに、前記第２の表示手段に前記音楽情報を表示させる制御を行う表示制御手段と、を備えたことを特徴としている。
【００１１】
本発明によれば、音楽再生中に被写体像を表示する第１の表示手段と音楽情報を表示する第２の表示手段を備えたので、撮影者は音楽再生中に被写体像および音楽情報の何れの情報も減らすことなく、両方の情報を一度に知ることができる。
【００１２】
音楽情報とは、楽曲名、演奏者（アーティスト名）、演奏時間、音質およびイコライザ表示等の視覚表示うち、少なくとも１つの情報を含んでいる。
【００１３】
本発明の一態様に係る音楽再生機能付きカメラは、前記第１の表示手段と前記第２の表示手段は、１つの表示装置の表示画面を分割して構成されていることを特徴としている。
本発明の他の態様に係る音楽再生機能付きカメラは、前記第１の表示手段と前記第２の表示手段とは、それぞれ別々の表示装置によって構成されていることを特徴としている。
【００１４】
さらに、本発明の他の態様に係る音楽再生機能付きカメラは、前記音楽再生手段による音楽再生可能な音声再生モードに該カメラが切り換えられると、撮像手段を動作可能とし被写体像を前記第１の表示手段に表示させることを特徴としている。
【００１５】
かかる態様によれば、該カメラが音楽再生モードに切り換えられると、撮像手段が動作可能になり、第１の表示手段に被写体像が表示される。したがって撮影者は音楽再生中に音楽を楽しみながら被写体像を確認することができる。
【００１６】
本発明の他の一態様に係る音楽再生機能付きカメラは、前記表示制御手段は、前記第１の表示手段に前記被写体像を表示中に前記第１の表示手段および第２の表示手段のうち少なくとも一方に撮影情報を表示させる制御を行うことを特徴としている。
【００１７】
撮影情報とは撮影モード（オート／マニュアル）、感度、シャッタースピード、記録画素数（解像度）、圧縮率（画質）、マクロモードのＯＮ／ＯＦＦ、ストロボ発光モード（オート／マニュアル）、日付などのうち、少なくとも１つの情報を含んでいる。
【００１８】
さらに、他の態様に係る音楽再生機能付きカメラは、音楽再生中に撮影開始操作がなされると、前記第１の表示手段あるいは前記第２の表示手段の何れか一方に前記撮影情報を表示させることを特徴としている。
【００１９】
かかる態様によれば、音楽再生中に撮影開始操作がなされると音楽情報に代えて撮影情報を表示させるので、音楽再生中の撮影でも、撮影者は撮影に必要な撮影情報を得ることができる。
【００２０】
本発明のさらに他の一態様に係る音楽再生機能付きカメラは前記音楽再生モードでは、前記第１の表示手段に被写体像を表示させるかあるいは前記第１の表示手段に前記音楽情報を表示させるか、前記第１の表示手段をオフするかのいずれか１つを選択する表示選択手段を備えたことを特徴とする。
【００２１】
かかる態様によれば、音楽再生モードにおいて第１の表示手段の表示内容を三択する表示選択手段を設けたので、必要な情報を選択して第１の表示手段に表示させることができる。
【００２２】
【発明の実施の形態】
以下添付図面に従って本発明に係る音楽再生機能付きカメラの好ましい実施の形態について説明する。
【００２３】
図１は、本発明の第１実施形態に係る音楽再生機能付きカメラの外観斜視図である。同図に示したように、カメラ１０の前面には、撮影レンズ１２、ファインダー窓１４、ストロボ発光部１６、ストロボ調光センサ１８、およびセルフタイマーランプ２０が設けられ、撮影レンズ１２の後方にはＣＣＤイメージセンサ（図１中不図示）が配置されている。
【００２４】
カメラ上面には、電源スイッチ２２、レリーズボタン２４および撮影ボタン２６が配設されている。グリップ部２７と反対側のカメラ側面には、音声出力端子を含むリモコン端子３１（以下リモコン端子と記載）、デジタル（ＵＳＢ）端子３２および電源入力端子３３が設けられている。
【００２５】
電源スイッチ２２は、スライドスイッチであり、ツマミを左方向に移動させる毎にカメラ１０の主電源のＯＮ／ＯＦＦが交互に設定される。
【００２６】
レリーズボタン２４は２段階式に構成され、レリーズボタン２４を軽く押して止める「半押し」の状態で自動ピント合わせ（ＡＦ）および自動露出制御（ＡＥ）が作動してＡＦとＡＥをロックし、「半押し」から更に押し込む「全押し」の状態で撮影が実行される。レリーズボタン２４は、画像の記録開始の指示を与える。
【００２７】
撮影ボタン２６はオーディオ再生モードが選択された状態で押下すると、カメラ１０を撮影可能状態にする操作ボタンである。なお、オーディオ再生モードおよびオーディオ再生モード時の撮影については後述する。
【００２８】
また、オーディオ再生モードでは、リモコン端子３１に接続されるヘッドホン（イヤホン）３５付きリモコン（以下リモコンと記載）３６からの指令信号により再生／停止、送り／戻し、音量調整のリモート操作が可能になる。符号３７は再生／停止ボタン、符号３８は送り／戻しボタン、符号３９は音量調整ボタンであり、符号４０はＬＣＤパネルである。なお、符号４２はハンドストラップである。
【００２９】
デジタル（ＵＳＢ）端子３２はカメラ１０とパソコンやプリンタ等の周辺機器を接続する際に使用する端子である。
【００３０】
電源入力端子３３は外部電源を接続し、カメラ１０外部からカメラ１０へ電源を供給する際に使用する端子である。
【００３１】
図２はカメラ１０の底面図である。カメラ１０の底面にはメモリカードスロットのカバーを兼ねた電池カバー４３が設けられており、電池カバー４３の奥にはメモリカードスロット４４、メモリカードスロット４５および図示せぬ電池収納室が形成されている。符号４６は三脚ネジ穴である。
【００３２】
図３は、カメラ１０の背面図である。カメラ背面には、ファインダー４８、モードダイヤル５０、左キー５２、右キー５４および上／下レバー５６、メニュー／実行キー５８、キャンセル／戻るキー６０、表示キー６２および液晶モニタ６４等が設けられている。モードダイヤル５０は、カメラの機能（モード）を変更する手段であり、モードダイヤル５０を回動操作することにより、スチル撮影を行う撮影モード、撮影した画像を再生する画像再生モード、または音楽再生を行うオーディオ再生モードに設定できる。
【００３３】
左キー５２、右キー５４および上／下レバー５６は、それぞれ対応する４方向（左、右、上、下）の指示を入力する操作部であり、左キー５２および右キー５４は、それぞれ再生モード時に１コマ逆送りボタン、１コマ順送りボタンとして機能し、上／下レバー５６は、再生ズーム機能や撮影時の電子ズーム機能における倍率調整用のズームレバーとして用いられる。
【００３４】
また、左キー５２、右キー５４および上／下レバー５６は、メニュー／実行キー５８の押下によって表示されるメニュー画面からメニュー項目を選択したり、各メニューにおける各種設定項目の選択を指示したりする操作手段として機能する。メニュー／実行キー５８は、各モードの通常画面からメニュー画面へ遷移させる時、或いは、選択内容の確定、処理の実行（確認）指示の時などに使用される。キャンセル／戻るキー６０は、メニューから選んだ項目の取消（キャンセル）や一つ前の操作状態に戻る時などに使用される。表示キー６２は、液晶モニタ６４をＯＮ／ＯＦＦ操作したり、再生方法や再生中のコマ番号等の表示／非表示を切り換えたりするための操作手段である。
【００３５】
液晶モニタ６４は、撮影時に画角確認用の電子ファインダーとして使用できるとともに、撮影した画像のプレビュー画やカメラ１０に装填されたメモリカード（図３には不図示）から読み出した再生画像等を表示することができる。また、左キー５２、右キー５４および上／下レバー５６を使用したメニューの選択や各メニューにおける各種設定項目の設定も液晶モニタ６４の表示画面を用いて行われる。更に、液晶モニタ６４には、撮影可能コマ数や再生コマ番号の表示、ストロボ発光の有無、マクロモード表示、記録画質（クオリティー）表示、画素数表示等の情報も表示される。
【００３６】
また、液晶モニタ６４は２画面に分割して表示することが可能である。図３のに示した一点破線は左右に２分割表示する場合の表示領域境界線である。２画面に分割した一方の表示領域を表示部１として符号６４Ａを付し、もう一方の表示領域を表示部２とし符号６４Ｂを付す。
【００３７】
図４は、カメラ１０の内部構成を示したブロック図である。撮影レンズ１２は、１枚又は複数枚のレンズで構成され、単焦点レンズでもよいし、ズームレンズ等の焦点距離可変のものでもよい。
【００３８】
撮影レンズ１２を通過した光は、絞り６６によって光量が調節された後、ＣＣＤイメージセンサ（以下ＣＣＤと記載）６８に入射する。ＣＣＤ６８の受光面には、フォトセンサが平面的に配列されており、撮影レンズ１２を介してＣＣＤ６８の受光面に結像された被写体像は、各フォトセンサによって入射光量に応じた量の信号電荷に変換される。なお、ＣＣＤ６８は、シャッターゲートパルスのタイミングによって各フォトセンサの電荷蓄積時間（シャッタースピード）を制御する、いわゆる電子シャッター機能を有している。
【００３９】
各フォトセンサに蓄積された信号電荷は、ＣＣＤドライバ７０から与えられるパルスに基づいて信号電荷に応じた電圧信号（画像信号）として順次読み出される。ＣＣＤ６８から出力された画像信号は、アナログ処理部７２に送られる。アナログ処理部７２は、サンプリングホールド回路、色分離回路、ゲイン調整回路等の信号処理回路を含み、このアナログ処理部７２において、相関二重サンプリング（ＣＤＳ）処理並びにＲ，Ｇ，Ｂの各色信号に色分離処理され、各色信号の信号レベルの調整（プリホワイトバランス処理）が行われる。
【００４０】
アナログ処理部７２から出力された信号は、Ａ／Ｄ変換器７４によりデジタル信号に変換された後、一旦ＲＡＭ７５に格納される。なお、タイミングジェネレータ（ＴＧ）７８は、ＣＰＵ８０の指令に従ってＣＣＤドライバ７０、アナログ処理部７２およびＡ／Ｄ変換器７４に対してタイミング信号を与えており、このタイミング信号によって各回路の同期がとられている。
【００４１】
画像信号処理回路７６は、所定の信号処理を行う。画像処理回路７６は輝度・色差信号生成回路、ガンマ補正回路、シャープネス補正回路、コントラスト補正回路、ホワイトバランス補正回路等を含むデジタルシグナルプロセッサ（ＤＳＰ）で構成された画像処理手段であり、ＣＰＵ８０からのコマンドに従って画像信号を処理する。一時記憶された画像データは画像信号処理回路７６により輝度信号（Ｙ信号）および色差信号（Ｃr,Ｃb 信号）に変換されるとともに、ガンマ補正等の所定の処理が施された後、ＶＲＡＭ８２に格納される。
【００４２】
撮影画像を表示出力する場合、ＶＲＡＭ８２から画像データが読み出され、バス８４を介してビデオエンコード回路８６に転送される。ビデオエンコード回路８６に送られたデータは、表示用の所定方式の信号（例えば、ＮＴＳＣ方式のカラー複合映像信号）に変換された後、外部インターフェイス８８を介して液晶モニタ（ＬＣＤ）６４に出力される。こうして、当該画像データの画像内容が液晶モニタ６４の画面上に表示される。
【００４３】
ＣＣＤ６８から出力される画像信号によってＶＲＡＭ８２内の画像データが定期的に書き換えられ、その画像データから生成される映像信号が液晶モニタ６４に供給されることにより、ＣＣＤ６８を介して入力する画像がリアルタイムに液晶モニタ６４に表示される。撮影者は、液晶モニタ６４に映し出される画像（スルー画）、或いはファインダー４８によって撮影画角を確認できる。
【００４４】
また文字情報を画像に重ねて液晶モニタ６４に表示するオーバーレイ表示を行う場合、キャラクタジェネレータ（ＣＧＥＭ）８９により文字情報のデータが生成され、ビデオエンコード回路８６で画像データと合成されて、画像に文字情報がオーバーレイ表示される。
【００４５】
また、ＶＲＡＭ８２はＶＲＡＭ８２Ａ（以下ＶＲＡＭ１と記載）およびＶＲＡＭ８２Ｂ（以下ＶＲＡＭ２と記載）から構成されている。ＶＲＡＭ１およびＶＲＡＭ２は２つのデバイスでもよいし、１つのデバイスの記録エリアを分割してもよい。
【００４６】
モードダイヤル５０により撮影モードが設定され、レリーズボタン２４が押されると撮影開始指示（レリーズＯＮ）信号が発せられる。ＣＰＵ８０は、この指示信号の受入に呼応して、記録用の画像データの取り込みを開始する。また、ＣＰＵ８０は圧縮伸張回路９０にコマンドを送り、これにより圧縮伸張回路９０は、ＲＡＭ７５上の画像データをＪＰＥＧその他の所定の形式に従って圧縮する。
【００４７】
圧縮された画像データは、カードインターフェイス（カードＩ／Ｆ）９２を介してメモリカード９４（以下メモリカード１と記載）に記録される。また、カメラ１０はメモリカードを２つ備えたダブルスロットタイプであり、カードＩ／Ｆ９６およびメモリカード９５（以下メモリカード２）を備えている。
【００４８】
本例のカメラ１０では、画像データを保存する手段として、例えばxD-PictureCard が適用される。記録メディアの形態はこれに限定されず、ＰＣカード、コンパクトフラッシュ、磁気ディスク、光ディスク、光磁気ディスク、メモリースティック（登録商標）などでもよく、電子的、磁気的、若しくは光学的、又はこれらの組み合わせによる方式に従って読み書き可能な種々の媒体を用いることができる。使用される媒体に応じた信号処理手段とインターフェイスが適用される。異種、同種の記録メディアを問わず、複数の媒体を装着可能な構成にしてもよい。また、画像ファイルを保存する手段は、カメラ本体に着脱可能なリムーバブルメディアに限らず、カメラ１０に内蔵された記録媒体（内部メモリ）であってもよい。
【００４９】
モードダイヤル５０によって画像再生モードが設定されると、メモリカード１から画像ファイルが読み出される。読み出された画像データは、圧縮伸張回路９０によって伸張処理され、ビデオエンコード回路８６を介して液晶モニタ６４に出力される。
【００５０】
次に、オーディオ再生機能について説明する。カメラ１０は画像記録用のメモリカード１の他にオーディオ再生時に音楽データを読み出すメモリカード９５を備えている。カメラ１０のオーディオ再生機能は、メモリカード９５に記録されているＭＰ３フォーマットなどの音楽ファイルを再生するものである。また、メモリカード２に記録されている音楽ファイルには音楽情報の一部が含まれている。
【００５１】
メモリーカード２に記憶されている音楽情報には楽曲番号（メモリカード内の管理番号）、楽曲名、演奏者等があり、さらに、音楽情報には使用者の設定や操作を示す音質、イコライザ表示、再生中や一時停止中等を示す動作状態表示等がある。
【００５２】
本実施形態では、ダブルスロットタイプを例示したが、カードＩ／Ｆおよびカードスロットを１つにする（シングルスロット）形態が可能である。シングルスロットの場合は、音楽データを記録したメモリカードに空き容量があるときに画像データを記録できるようにする形態が考えられる。さらに、メモリカードの空き容量が不足するときには音楽データの一部を消去し、メモリカードの空き容量を確保してから画像データを記録する形態でもよい。
【００５３】
オーディオ再生モードでは、液晶モニタ６４に音楽情報を表示することができる。ただし、表示される音楽情報は前述の情報に限定されず、また前述の音楽情報の一部を表示してもよい。
【００５４】
モードダイヤル５０によってオーディオ再生モードが設定されるとオーディオ再生が可能となる。オーディオ再生モードでは、ＣＰＵ８０はカメラ１０本体にある撮影ボタン２６からの指令信号とリモコン３６からの指令信号を受け付け、カメラ本体の操作部からは撮影ボタン２６以外のスイッチ入力は受け付けないようになっている。
【００５５】
カメラ１０がオーディオ再生モードに設定され、リモコン端子３１にリモコン３６が接続された状態でリモコン３６の再生／停止ボタン３７が押されると、カードＩ／Ｆ２を介してメモリカード２から音楽ファイルが読み出される。音楽ファイルは、パソコンや音楽配信端末等から直接、又はデジタル（ＵＳＢ）端子３２を介してメモリカード９４内にダウンロードされているものとする。
【００５６】
メモリカード２から読み出された音楽ファイルの圧縮データは、圧縮伸張回路９０を介して非圧縮の音楽データに伸張される。この伸張された音楽データは、オーディオデコーダ回路９７により音声信号に変換され、外部インターフェイス８８を介してリモコン端子３１に接続されるヘッドホン３５（リモコン３６）を介して音楽として出力される。
【００５７】
音楽再生出力装置はヘッドホン（イヤホン）だけでなく、カメラ１０本体にスピーカを備えてもよい。カメラ１０本体にスピーカーを備えた場合には、図３に示した左キー５２、右キー５４および上／下レバー５６をリモコン３６に備えた再生／停止ボタン（符号３７）送り／戻しボタン（符号３８）、音量調整（符号３９）として使用する形態が考えられる。
【００５８】
ＣＰＵ８０は、本カメラシステムを統括制御する制御部であり、カメラ機能制御部８０Ａと音楽機能制御部８０Ｂを有している。カメラ機能制御部８０Ａは、撮影、画像記録、画像再生等のカメラ機能の制御を行い、音楽機能制御部８０Ｂは、オーディオ再生機能の制御を行う。
【００５９】
図４には１つのＣＰＵを示したが、ＣＰＵ８０は２つあるいは複数のＣＰＵで構成されていてもよい。
【００６０】
ＣＰＵ８０は、電源スイッチ２２、レリーズボタン２４その他の操作部から受入する入力信号に基づいて、対応する回路の動作を制御し、液晶モニタ６４における表示の制御、ストロボ発光制御、オートフォーカス（ＡＦ）制御および自動露出（ＡＥ）制御等を行う。ＣＰＵ８０は、ＣＣＤ６８を介して入力された画像データに基づいて焦点評価演算やＡＥ演算などの各種演算を行い、その演算結果に基づいてレンズ駆動部１０４を制御して撮影レンズ１２を合焦位置に移動させる一方、図示せぬアイリス駆動部を制御して絞り６６を適正絞り値に設定するとともにＣＣＤ６８の電荷蓄積時間を制御する。
【００６１】
ＲＯＭ１０６にはＣＰＵ８０が処理するプログラムおよび制御に必要な各種データ等が格納され、ＲＡＭ７５は画像処理領域の他、ＣＰＵ８０が各種の演算処理等を行う作業用領域を有する。ＥＥＰＲＯＭ（不揮発性メモリ）１０８には、各種設定情報などが格納される。
【００６２】
カメラ１０の電源は、バッテリ１２０又は電源入力端子３３に接続される外部電源（不図示）を用いることができる。バッテリ１２０等から供給される電力は、ＤＣ／ＤＣコンバータを含む電源回路１２２によって所要の電圧に変換された後、各回路ブロックに電源供給される。
【００６３】
次に、液晶モニタ６４を２画面表示する方法について説明する。図５は液晶モニタ６４の２画面表示に関連する部分を図４から抜粋したブロック図である。なお、説明の便宜上、一部の回路は省略されている。図５中図４と同一部分には同じ符号を付す。
【００６４】
液晶モニタ６４は表示部１（符号６４Ａ）および表示部２（符号６４Ｂ）を有している。図５では表示部１に被写体像のスルー画（以下スルー画と記載）および撮影情報（オーバーレイ表示）を表示し、もう一方には音楽情報を表示した例である。
【００６５】
撮影情報には、撮影モード（オート／マニュアル）、感度、シャッタースピード、記録画素数（解像度）、圧縮率（画質）、マクロモードのＯＮ／ＯＦＦ、ストロボ発光モード（オート／マニュアル）、日付などのうち、少なくとも１つの情報を含んでいる。
【００６６】
表示部１にはスルー画、撮影情報および音楽情報を表示でき、撮影情報はオーバーレイ表示が可能である。同様に表示部２にもスルー画、撮影情報および音楽情報を表示できる。表示部１に表示される情報データはＶＲＡＭ１あるいはＶＲＡＭ２の何れに記憶されていてもよいし、表示部２に表示される情報データもＶＲＡＭ１あるいはＶＲＡＭ２の何れに記憶されていてもよい。ＶＲＡＭ１およびＶＲＡＭ２に記憶された情報データは図４に示したビデオエンコード回路８６により合成され、液晶モニタ６４に２画面表示される。
【００６７】
表示部１および表示部２に何れの情報を表示させるかは図１に示したモードダイヤル５０により設定されるモードにより決められる。
【００６８】
モードダイヤル５０により設定されたモードに従って、ＣＰＵ８０は表示部１および表示部２に表示する情報を決定し、表示される情報がスルー画および前記撮影情報であればカメラ機能部８０Ａによってスルー画および撮影情報をＶＲＡＭ１に記憶し、表示される情報が音楽情報であれば音楽機能制御部８０Ｂによって音楽情報をＶＲＡＭ２記憶する。
【００６９】
次に、液晶モニタ６４の２画面表示制御について説明する。本カメラ１０は撮影モードおよび音楽再生モードにおいて、液晶モニタ６４の２画面表示が可能である。
【００７０】
モードダイヤル５０により撮影モードが選択された状態でカメラ１０の主電源がオンになると、液晶モニタ６４に図６に示す２画面表示が数秒間表示される。図６では表示部１にスルー画が表示され、表示部２には撮影情報が表示されている。その後、図７に示す画面選択メニュー２００が液晶モニタ６４に表示される。
【００７１】
画面選択メニュー２００において１画面が選択されると、スルー画が全画面表示され、撮影情報はオーバーレイ表示される。一方、２画面が選択されると、図６に示した２画面表示となる。
【００７２】
また、カメラ１０の主電源オン状態で画像再生モードおよびオーディオ再生モードから撮影モードに切り換えられた場合には、まず図７に示した画面選択メニュー２００が液晶モニタ６４に表示され、画面選択メニュー２００にて１画面表示あるいは２画面表示のいずれか一方を選択することができる。
【００７３】
モードダイヤル５０によりオーディオ再生モードが選択された状態でカメラ１０の主電源がオンになると、液晶モニタ６４には図８に示す２画面表示が数秒間表示される。図８では表示部１に音楽情報の一部が表示（イコライザ表示）され、表示部２には表示部１に表示されていない音楽情報（楽曲番号、演奏時間、楽曲名、演奏者、音質）が表示されている。その後、図７に示す画面選択メニュー２００が液晶モニタ６４に表示される。
【００７４】
画面選択メニュー２００において１画面が選択されると、液晶モニタ６４は図９に示す画面表示になる。図９に示す画面では、表示部１には情報表示がされず、表示部２には音楽情報表示される。一方、２画面が選択されると、図８に示した２画面表示となる。なお、情報表示をしない画面には青や黒等の単一色画面を表示することを含んでいる。
【００７５】
また、カメラ１０の主電源オン状態で画像再生モードおよび撮影再生モードからオーディオ再生モードに切り換えられた場合にも、まず図７に示した画面選択メニュー２００が液晶モニタ６４に表示され、画面選択メニュー２００にて１画面表示あるいは２画面表示のいずれか一方を選択することができる。
【００７６】
本カメラ１０はオーディオ再生モード時にも撮影をする機能を有している。図１０はオーディオ再生モードにおける撮影制御および画面表示制御の流れを示したフローチャートである。
【００７７】
図１に示すモードダイヤル５０によりオーディオ再生モードが選択されると、オーディオ再生モードがスタートする（ステップＳ１０）。
【００７８】
まず、図７に示す画面選択メニュー２００画面が液晶モニタ６４に表示され、１画面表示をするかあるいは２画面表示をするかの何れかを選択する（図１０のステップＳ１２）。１画面を選択すると、図９に示すとおり表示部１には何も表示されず、表示部２には音楽情報が表示される（ステップＳ１４）。ここで図１に示す撮影ボタン２６が押下されると（図１０のステップＳ１６）カメラ１０は撮影可能状態になり、図１１に示すとおり、表示部１にスルー画が表示され、表示部２には音楽情報が表示される（ステップＳ１８）。ステップＳ１８において図１に示したレリーズボタン２４半押しによりＳ１＝ＯＮになると（図１０ステップＳ２０）、カメラ１０は露出制御、焦点合わせ制御、ホワイトバランス（ＷＢ）制御等を行い、図６に示したとおり、表示部２に表示されていた音楽情報に代わり撮影情報（露出、ＷＢ、ヒストグラム等）が表示される（図１０のステップＳ２２）。ステップＳ２２において図１に示したレリーズボタン２４全押しによりＳ２＝ＯＮになると（ステップＳ２４）、被写体像の画像データは図４に示したメモリカード１に記録され（ステップＳ２６）、ステップＳ１６に戻る（ステップＳ２８）。ステップＳ１６において図１に示す撮影ボタン２６のオフ操作がされると（撮影可能状態解除）、ステップＳ１４に移行し、液晶モニタ６４は図９に示した画面表示に切り換わる。
【００７９】
また、ステップＳ１２において２画面を選択すると、図８に示すとおり表示部１には音楽情報の一部（イコライザ表示）が表示され、表示部２には表示部１に表示されていない音楽情報（楽曲番号、演奏時間、楽曲名、演奏者、音質）が表示される（ステップＳ３０）。ここで図１に示す撮影ボタン２６が押下されると（ステップＳ３２）カメラ１０は撮影可能状態となり、図１１に示すとおり、表示部１にスルー画が表示され、表示部２には音楽情報が表示される（ステップＳ３４）。その後、カメラ１０の制御はＳ１＝ＯＮ待ち（ステップＳ２０）に遷移する。また、ステップＳ２８までの工程が行われるとステップＳ３２に移行し、ステップＳ３２において、図１に示す撮影ボタン２６のオフ操作がされると（撮影可能状態解除）、ステップＳ３０に移行し、液晶モニタ６４は図８に示した画面表示に切り換わる。
【００８０】
オーディオ再生モードにおいて音楽再生中に図１に示す撮影ボタン２６のオン操作がなされても、音楽再生は継続される。
【００８１】
また、ステップＳ２４において液晶モニタ６４に表示する画面を図１２に示す画面としてもよい。図１２に示す画面は表示部１にスルー画とオーバーレイ表示された撮影情報を表示し、表示部２には音楽情報を表示する画面である。
【００８２】
本実施形態では、オーディオ再生モードにおいて撮影可能状態にする操作を、図１に示した撮影ボタン２６の操作により行う形態としたが、図１０のステップＳ１２の後にメニュー画面を表示し、当該メニュー画面にて撮影をするかあるいは撮影をしないかを選択する形態も考えられる。
【００８３】
本実施形態では、液晶モニタ６４を左右に２分割したが、液晶モニタ６４の分割方法はこれに限定されない。上下に２分割する形態でもよいし、４分割や９分割など多分割（マルチ画面）にしてもよい。また、領域の大きさが異なる分割をしてもよい。
【００８４】
本実施形態では、画像再生モードでは全画面表示のみの形態を例示したが、画像再生モードでも２分割表示を行う形態が可能である。例えば、表示部１に記録画像を表示し、表示部２には記録情報を表示してもよい。記録情報とは、記録日、画質、記録量等記録画面に関連した情報である。
【００８５】
上記の如く構成されたカメラ１０は、液晶モニタ６４の２画面表示を可能にしたので、複数の情報を１つの情報表示装置に表示させることができる。また、オーディオ再生モード（音楽再生中）に撮影が可能であり、音楽を聴きながら撮影を楽しむことが可能である。さらに、２画面のうち一方の画面は撮影に関する情報（スルー画や撮影情報）を表示し、もう一方には音楽情報を表示することができ、撮影者はどちらの情報も減らすことなく知ることができる。
【００８６】
オーディオ再生モードにおける撮影時には、音楽情報に代えて撮影に必要な情報が液晶モニタ６４に表示されるので、撮影者は撮影に必要な情報を得ることができる。
【００８７】
次に、本発明の第２実施形態に係る音楽再生機能付きカメラを説明する。図１３はカメラ３００の背面図である。なお、第２実施形態において図１乃至図１２に示した第１実施形態と同一または類似する部分には同一の符号を付し、その説明は省略する。
【００８８】
カメラ３００は、情報表示装置として液晶モニタ６４（以下ＬＣＤ１と記載）および液晶モニタ６５（以下ＬＣＤ２と記載）を備えている。ＬＣＤ１およびＬＣＤ２はカラー液晶モニタである。また、ＬＣＤ１とＬＣＤ２は左右に並べて配置されている。本実施形態ではＬＣＤ１とＬＣＤ２を左右に並べて配置したが、ＬＣＤ１とＬＣＤ２の配置方法はこれに限定されず、上下に並べる態様や、ＬＣＤ１あるいはＬＣＤ２のどちらか一方をカメラ１０の背面に配置し、もう一方をカメラ１０の正面に配置してもよい。この場合には、背面に配置したＬＣＤにはスルー画および撮影情報、再生画像を表示し、正面に配置したＬＣＤには音楽情報を表示する形態が考えられる。
【００８９】
図１４は、カメラ３００の内部構成を示したブロック図である。図１４中図４と同一または類似する部分には同一の符号を付し、その説明は省略する。
【００９０】
カメラ３００は、カメラ１０と同様にＶＲＡＭ１およびＶＲＡＭ２を備えている。ＶＲＡＭ１に記憶された情報のデータはビデオエンコード回路８６（以下ビデオエンコード回路１）、外部インターフェイス８８を介してＬＣＤ１に表示され、ＶＲＡＭ２に記憶された情報のデータはビデオエンコード回路８７（以下ビデオエンコード回路２）、外部インターフェイス８８を介してＬＣＤ２に表示される。
【００９１】
図１５はＬＣＤ１およびＬＣＤ２の表示に関連する部分を図１４から抜粋したブロック図である。なお、説明の便宜上、一部の回路は省略されている。図１５中図１４と同一部分には同じ符号を付す。
【００９２】
第１実施形態と同様に、ＬＣＤ１およびＬＣＤ２に如何なる情報を表示するかは第１実施形態と同様ににモードダイヤル５０の設定により決定し、ＣＰＵ８０によって制御される。
【００９３】
本実施形態では、ＬＣＤ１に表示する情報のデータはＶＲＡＭ１に記憶され、ＬＣＤ２に表示される情報のデータはＶＲＡＭ２に記憶される。
【００９４】
モードダイヤル５０により設定されたモードに従って、ＣＰＵ８０はＬＣＤ１およびＬＣＤ２に表示する情報を決定し、表示される情報がスルー画および撮影情報であればカメラ機能部８０ＡによってＶＲＡＭ１あるいはＶＲＡＭ２の何れか一方、もしくはＶＲＡＭ１およびＶＲＡＭ２の両方に、スルー画および撮影情報を記憶する。また、表示される情報が音楽情報であれば音楽機能制御部８０ＢによってＶＲＡＭ１あるいはＶＲＡＭ２の少なくともいずれか一方に音楽情報を記憶する。
【００９５】
撮影モードでは、ＬＣＤ１にはスルー画が表示され、ＬＣＤ２には撮影情報が表示される。レリーズボタン全押しによりＳ２＝ＯＮとなるとＬＣＤ１には記録画像が表示される。
【００９６】
画像再生モードでは、ＬＣＤ１には記録画像が表示され、ＬＣＤ２には実施形態１に示した記録情報が表示される。
【００９７】
また、オーディオ再生モードでは、ＬＣＤ１には情報表示がされず、ＬＣＤ２には第１実施形態で示した音楽情報が表示される。さらに、オーディオ再生モードにおいて図１に示す撮影ボタンが操作され撮影可能状態になると、図１０に示したフローチャートに従ってＬＣＤ１およびＬＣＤ２の画面表示が行われる。
【００９８】
ＬＣＤ１およびＬＣＤ２に何も表示されない状態が所定の時間継続すると、カメラ３００は当該ＬＣＤのバックライトをオフする省電力機能を設けてもよい。さらに、ＬＣＤ１およびＬＣＤ２に情報表示がされている場合にも、所定の時間カメラ３００が操作されない場合に当該ＬＣＤのバックライトをオフする形態としてもよい。
【００９９】
上記の如く構成されたカメラ３００は、情報表示装置（ＬＣＤ）を２つ備えたので、複数の情報を同時に表示することができる。また、２つのＬＣＤを独立に制御可能であり、情報表示をしないＬＣＤの電源をオフすると、カメラ３００の省電力に効果がある。
【０１００】
図１６に本発明の第３実施形態に係る音楽再生機能付きカメラを示す。図１６はカメラ４００の背面図である。なお、第３実施形態において図１乃至図１２に示した第１実施形態および図１３乃至図１５に示した第２の実施形態と同一または類似する部分には同一の符号を付し、その説明は省略する。
【０１０１】
カメラ４００は、情報表示装置として液晶モニタ６４（以下ＬＣＤ１と記載）および液晶モニタ６５（以下ＬＣＤ２と記載）を備えている。ＬＣＤ１はカラー液晶モニタであり、ＬＣＤ２はドットマトリクス液晶モニタ（以下ドットマトリクスと記載）である。また、ＬＣＤ１とＬＣＤ２は上下にに並べて配置されている。本実施形態ではＬＣＤ１とＬＣＤ２を上下に並べて配置したが、ＬＣＤ１とＬＣＤ２の配置方法はこれに限定されず、左右に並べる態様や、ＬＣＤ１あるいはＬＣＤ２のどちらか一方をカメラ１０の背面に配置し、もう一方をカメラ１０の正面に配置してもよい。この場合には、背面に配置したＬＣＤにはスルー画および撮影情報、再生画像を表示し、正面に配置したＬＣＤには音楽情報を表示する形態が考えられる。
【０１０２】
ＬＣＤ１に表示される情報は、撮影時におけるスルー画、画像再生モードにおける記録画像が表示され、ＬＣＤ２には撮影時における第１実施形態で示した撮影情報および第１実施形態で示した音楽情報を表示することができる。また、オーディオ再生モードでは撮影情報はスルー画にオーバーレイ表示させ、ＬＣＤ２には音楽情報を常に表示する形態が考えられる。
【０１０３】
ＬＣＤ１およびＬＣＤ２に表示される情報は前述した情報に限定されず、ＬＣＤ１表示できる情報はカラー液晶モニタに表示可能な情報であればよい。またＬＣＤ２に表示できる情報はドットマトリクスに表示可能な情報であればよい。
【０１０４】
また、ＬＣＤ２はドットマトリクスに限定されず、ＬＥＤ表示装置等の撮影情報および音楽情報を表示可能であれば何れの表示装置を用いてもよい。また、ＬＣＤ２にはできるだけ省電力型の表示装置を用いるとよい。
【０１０５】
また、ＬＣＤ２にはできるだけ表示面積が小さい表示装置を用いると、スルー画や記録画像を表示するＬＣＤ１の表示面積を大きくすることができ、限られた表示スペースを有効に使うことができる。
【０１０６】
上記の如く構成されたカメラ４００は、情報表示装置（ＬＣＤ）を２つ備え、一方の表示装置はカラー液晶モニタ、もう一方の表示装置はドットマトリクスとする。ドットマトリクスはできるだけ表示面積の小さいものを用いると、カラー液晶モニタを配置するスペースを大きくすることができる。画像はカラー液晶モニタをに表示させ、撮影情報や音楽情報をドットマトリクスに表示されるようにすると、表示面積を有効に使用することができ、限られた表示面積にできるだけたくさんの情報を表示することができる。また、２つのＬＣＤを独立に制御可能であり、情報表示をしないＬＣＤの電源をオフすると、カメラ４００の省電力化に効果がある。
【０１０７】
一方の表示装置はドットマトリクスを用いたので、カラー液晶モニタを２つ備える形態に比べてカメラ４００の省電力化に効果がある。
【０１０８】
上記第１乃至３実施形態では、静止画記録用のデジタルスチルカメラ（ＤＳＣ）を例示したが、本発明の適用範囲はＤＳＣに限定されない。動画記録を行うムービーカメラや動画および静止画の何れも記録可能なデジタルビデオカメラなどの電子カメラに適用可能である。
【０１０９】
【発明の効果】
本発明によれば、被写体像を表示する第１の表示手段と、音楽情報を表示する第２の表示手段を備えたので、撮影者は音楽再生中に被写体像および音楽情報の何れの情報も減らすことなく知ることができる。該カメラが音楽再生モードに切り換えられると、撮像手段が動作可能になり、第１の表示手段に被写体像が表示される。さらに音楽再生中に撮影開始操作がなされる第２の表示手段には音楽情報に代えて撮影情報を表示させる。したがって撮影者は音楽再生中に音楽を楽しみながら撮影を行うことができ、音楽再生中の撮影でも、撮影者は撮影に必要な撮影情報を得ることができ、情報量が減少することはない。
【図面の簡単な説明】
【図１】本発明の第１実施形態に係る音楽再生機能付きカメラの外観斜視図
【図２】本発明の第１実施形態に係る音楽再生機能付きカメラの底面図
【図３】本発明の第１実施形態に係る音楽再生機能付きカメラの背面図
【図４】本発明の第１実施形態に係る音楽再生機能付きカメラの内部構成を示したブロック図
【図５】図４から液晶モニタの２画面表示に関連する部分を抜粋したブロック図
【図６】本発明の第１実施形態に係る音楽再生機能付きカメラの２画面表示例１
【図７】本発明の第１実施形態に係る音楽再生機能付きカメラの画面選択メニュー画面
【図８】本発明の第１実施形態に係る音楽再生機能付きカメラの２画面表示例２
【図９】本発明の第１実施形態に係る音楽再生機能付きカメラの２画面表示例３
【図１０】オーディオ再生モードにおける撮影制御および画面表示制御の流れを示したフローチャート
【図１１】本発明の第１実施形態に係る音楽再生機能付きカメラの２画面表示例４
【図１２】本発明の第１実施形態に係る音楽再生機能付きカメラの２画面表示例５
【図１３】本発明の第２実施形態に係る音楽再生機能付きカメラの背面図
【図１４】本発明の第２実施形態に係る音楽再生機能付きカメラの内部構成を示したブロック図
【図１５】図１４から液晶モニタの２画面表示に関連する部分を抜粋したブロック図
【図１６】本発明の第３実施形態に係る音楽再生機能付きカメラの背面図
【符号の説明】
１０，３００，４００…カメラ、１２…撮影レンズ、２４…レリーズボタン、３５…ヘッドホン、３６…リモコン、５０…モードダイヤル、６４，６４Ａ，６４Ｂ，６５…液晶モニタ、６８…ＣＣＤ、８０…ＣＰＵ、８６，８７…ビデオエンコード回路、８８…外部インターフェイス、８９…ＣＧＥＮ、９０…圧縮伸張回路、９７…オーディオデコーダ回路
【図１】
2004208013.tif 000003
【図２】
2004208013.tif 000004
【図３】
2004208013.tif 000005
【図４】
2004208013.tif 000006
【図５】
2004208013.tif 000007
【図６】
2004208013.tif 000008
【図７】
2004208013.tif 000009
【図８】
2004208013.tif 000010
【図９】
2004208013.tif 000011
【図１０】
2004208013.tif 000012
【図１１】
2004208013.tif 000013
【図１２】
2004208013.tif 000014
【図１３】
2004208013.tif 000015
【図１４】
2004208013.tif 000016
【図１５】
2004208013.tif 000017
【図１６】
2004208013.tif 000018